(57)【特許請求の範囲】
【請求項１】
地中に埋設されてその内部の空間に雨水を一時的に貯留する有底筒状のます本体、該ます本体の上面開口を閉塞するように該ます本体に取り付けられた蓋板、該蓋板を貫通するように形成されている接続孔、及び、該接続孔に接続されることで該蓋板上に立設された立管部材を備えるとともに、
上記蓋板の上面に載置される板状の支持座と、該支持座上に立設された保持部と、を有し、上記立管部材が倒れようとする場合に該立管部材の外周面に前記保持部を当接させて前記支持座で支えることで該立管部材の倒れを抑制する保持部材が、上記蓋板の上面で上記接続孔の周縁に設置され、
上記蓋板は、帯状の結束材を用いることで上記ます本体と一括りにされているものとして、
薄板状のアームを上記支持座の周縁から横方向へ延設し、上記結束材を該アームに掛けて上記保持部材を上記蓋板に固定することを特徴とする雨水浸透ます。
【請求項２】
上記保持部材における上記支持座の下面には係止突起又は係止孔が設けられており、該係止突起又は該係止孔と係合するように上記蓋板の上面には係止孔又は係止突起が設けられている請求項１に記載の雨水浸透ます。
【発明の詳細な説明】
【技術分野】
【０００１】
本発明は、雨水を一時的に貯留し、その貯留した雨水を地中に浸透させて排出する雨水浸透ますに関するものである。
【背景技術】
【０００２】
従来、雨水浸透ますは、周壁や底壁に透孔が設けられた有底筒状のます本体を、砕石で覆うようにして地中に埋設することにより、設置されている。さらに、該雨水浸透ますとして、ます本体を不織布からなる透水シートで覆うことにより、砕石を必要とせず、容易な施工を可能にしたものも提供されている（例えば、特許文献１、特許文献２）。
また、上記雨水浸透ますは、ます本体内の点検や清掃を目的として、ます本体に蓋体を被着し、該蓋体に接続孔を設け、該接続孔に立管部材を接続する構成とされている。該立管部材の該接続孔への接続については、特に接着等はされておらず、該立管部材の下端部を該接続孔内に挿入して、該接続孔の内周面に形成された段部に載せて係止する構成が採用されている。
【先行技術文献】
【特許文献】
【０００３】
【特許文献１】特開２００７−３２０２５号公報
【特許文献２】特開２００９−２４４１７号公報
【発明の概要】
【発明が解決しようとする課題】
【０００４】
ところが、上記従来の雨水浸透ますにおいて、上記立管部材は、上記接続孔に接着等されていないため、該接続孔への接続が不安定であり、特に上記蓋体からの立ち上がり長さが長くなるとバランスを崩しやすい。そして、上記雨水浸透ますの施工時に該立管部材が倒れて、ます本体や蓋体から離脱するおそれがあるという問題があった。こうした問題を解決するため、蓋体の厚みを増して接続孔の深みを増す、あるいは上記立管部材を上記接続孔から更に上記ます本体の内奥まで深く挿入することが提案された。しかし、蓋体の厚みを増すと、製造コストが嵩むとともに、上記雨水浸透ます全体における重量バランスが上部に片寄って不安定になり、また上記立管部材を上記ます本体の内奥まで深く挿し込むと、該ます本体内に雨水を貯留できる容量が減少し、雨水の貯留機能が低下してしまう。
本発明は、このような従来技術に存在する問題点に着目してなされたものである。その目的とするところは、施工時に立管部材が倒れることを抑制することができる雨水浸透ますを提供することにある。
【課題を解決するための手段】
【０００５】
上記の目的を達成するために、請求項１に記載の雨水浸透ますは、地中に埋設されてその内部の空間に雨水を一時的に貯留する有底筒状のます本体、該ます本体の上面開口を閉塞するように該ます本体に取り付けられた蓋板、該蓋板を貫通するように形成されている接続孔、及び、該接続孔に接続されることで該蓋板上に立設された立管部材を備えるとともに、上記蓋板の上面に載置される板状の支持座と、該支持座上に立設された保持部と、を有し、上記立管部材が倒れようとする場合に該立管部材の外周面に前記保持部を当接させて前記支持座で支えることで該立管部材の倒れを抑制する保持部材が、上記蓋板の上面で上記接続孔の周縁に設置されていることを要旨とする。
請求項２に記載の発明は、請求項１に記載の雨水浸透ますの発明において、上記蓋板は、帯状の結束材を用いることで上記ます本体と一括りにされているものとして、薄板状のアームを上記支持座の周縁から横方向へ延設し、上記結束材を該アームに掛けて上記保持部材を上記蓋板に固定することを要旨とする。
請求項３に記載の発明は、請求項１又は請求項２に記載の雨水浸透ますの発明において、上記保持部材における上記支持座の下面には係止突起又は係止孔が設けられており、該係止突起又は該係止孔と係合するように上記蓋板の上面には係止孔又は係止突起が設けられていることを要旨とする。
【発明の効果】
【０００６】
〔作用〕
本発明の雨水浸透ますは、ます本体の上面開口を閉塞する蓋板の上面で接続孔の周縁に、保持部材が設置されている。該保持部材は、上記蓋板の上面に載置される板状の支持座と、該支持座上に立設された保持部とを有している。そして、施工時に上記立管部材が倒れようとする場合には、該保持部材の保持部が上記立管部材の外周面に当接され、該保持部を介して上記支持座で上記立管部材を支えることで立管部材が倒れることを抑制することができる。
また帯状の結束材を用いて上記蓋板を上記ます本体と一括りにした雨水浸透ますの場合、上記保持部材の支持座の周縁から横方向へアームを延設し、該アームに上記結束材を掛けることで、上記保持部材が上記蓋板に固定される。
また上記支持座の下面に係止突起又は係止孔を設け、該係止突起又は該係止孔と係合するように上記蓋板の上面に係止孔又は係止突起を設けることで、上記保持部材の保持部を上記蓋板に設けられた接続孔の周縁に簡単に位置合わせすることができる。
【０００７】
〔効果〕
本発明の雨水浸透ますにあっては、施工時に立管部材が倒れることを抑制することができる。
【図面の簡単な説明】
【０００８】
【図１】第１実施形態の雨水浸透ますを示す（ａ）は正面図、（ｂ）は平面図。
【図２】（ａ）は立管部材を取り付ける前の状態を示す部分拡大断面図、（ｂ）は立管部材を取り付けた後の状態を示す部分拡大断面図
【図３】実施形態の保持部材を示す（ａ）は平面図、（ｂ）は正面図。
【図４】実施形態の（ａ）は保持部材を示す底面図、（ｂ）は蓋板を示す平面図。
【図５】第２実施形態の雨水浸透ますを示す正面図。
【図６】別形態の（ａ）は保持部材を示す平面図、（ｂ）は蓋板を示す平面図。
【図７】別形態の保持部材を示す正面図。
【発明を実施するための形態】
【０００９】
〔第１実施形態〕
以下、本発明の雨水浸透ますを具体化した第１実施形態について説明する。
図１（ａ），（ｂ）に示すように、雨水浸透ます１０は、地中に埋設されるます本体１１を備えている。該ます本体１１は、底板と、該底板の周縁に立設された複数の側壁とによって有底四角筒状に形成されている。該ます本体１１の一部の側壁には、雨水流入口１１Ａが貫通形成され、該雨水流入口１１Ａに接続された雨水流入管（図示略）から該ます本体１１の内部へ雨水が流入し、貯留される。該ます本体１１の側壁及び底板には、該ます本体１１の内部に貯留された雨水を地中へ排出するべく、複数の透水孔１１Ｂが貫通形成されている。
上記複数の透水孔１１Ｂから該ます本体１１内へ小石、土砂等が入り込まないように、該ます本体１１は、透水シート１２によって外面を覆われている。該透水シート１２は、不織布、透水性フィルム、織布、編布等といった透水性材料からなり、前記透水孔１１Ｂを介して前記ます本体１１の内部から外部へ雨水が排出されることを許容し、ます本体１１の外部から内部へ小石、土砂等が入り込むことを規制する。
【００１０】
上記ます本体１１の上面開口を閉塞するように、該ます本体１１には蓋板１３が取り付けられている。該蓋板１３は、平面視四角形状に形成されており、該蓋板１３の中央には、接続孔１４が貫通形成されている。そして、該蓋板１３の接続孔１４には、立管部材１５の下端部が挿入されている。
図２（ａ）に示すように、上記蓋板１３の下面の周縁部には、嵌入溝１３Ａが凹設されており、該嵌入溝１３Ａには、上記側壁の上端で折り返された上記透水シート１２とともに、上記側壁の上端部が嵌入されている。
図２（ｂ）に示すように、上記接続孔１４の内周面上には、下側部分を該接続孔１４の内側へ突出させることにより、係止段部１４Ａが設けられており、該係止段部１４Ａによって上記立管部材１５の下端が支えられている。
上記立管部材１５は円筒状をなしており、蓋板１３の上面から地表までの高さに合わせ、適宜長さ調節される。また、図１（ａ），（ｂ）に示すように、上記立管部材１５の上端は、蓋１５Ａによって閉塞されており、メンテナンス時等に該蓋１５Ａが開放されることでます本体１１の内部の状態を確認することができる。
さらに、上記蓋板１３は、左右一対の帯状の結束材１６によって上記ます本体１１と一括りにされており、該ます本体１１から外れてしまうことを防止されている。
【００１１】
上記蓋板１３の上面には、保持部材２０が設置されている。図３（ａ），（ｂ）に示すように、該保持部材２０は、円環板状の支持座２１と、該支持座２１の内周縁上から立設された円筒状の保持部２２と、を有している。
上記支持座２１の周縁からは、薄板状のアーム２３が横方向へ延設されている。該アームには、上記結束材１６が掛けられることで、上記ます本体１１と一括りにされた上記蓋板１３に上記保持部材２０が固定されている（図１（ｂ）参照）。
また上記アームの先端には凸部２３Ａが設けられており、該アームに掛けられた上記結束材１６が該凸部２３Ａに当たることで、該アームから上記結束材１６が外れることを抑制している。
【００１２】
図４（ａ）に示すように、上記保持部材２０において、上記アーム２３の長さは、該アーム２３の先端（凸部２３Ａ）が上記蓋板１３の周縁から外側へはみ出さない長さになるように設定されている。
上記保持部材２０において、上記支持座２１の下面には複数の係止突起２４が設けられている。これら複数の係止突起２４は、図中に一点鎖線で示すピッチ円Ｐ１の円周上に各々の中心が位置するように、該ピッチ円Ｐ１の中心を基準として９０度おきに配置されることで、合計で４つが設けられている。また４つの係止突起２４のうちの２つは、図中に二点鎖線で示す互いの中心を結ぶ線Ｑ１が、上記アーム２３の延びる方向と同じ方向になるように、配置されている。
図４（ｂ）に示すように、上記蓋板１３の上面には、該係止突起２４と対応する位置になるように、複数の係止孔２５が設けられている。すなわち、これら係止孔２５は、上記ピッチ円Ｐ１と直径を同じくするピッチ円Ｐ２（図中に一点鎖線で示す）の円周上に各々の中心が位置するように、該ピッチ円Ｐ２の中心を基準として９０度おきに配置されることで、合計で４つが設けられている。また、４つの係止孔２５は、該ピッチ円Ｐ２の中心を基準に対向する一対の中心を結ぶ線Ｑ２（図中に二点鎖線で示す）が、上記蓋板１３の周縁の何れかの辺１３Ｂ，１３Ｃと平行になるように、配置されている。
【００１３】
上記係止突起２４と上記係止孔２５とが互いに係合することにより、上記保持部材２０は、上記蓋板１３の上面で上記接続孔１４の周縁に位置決めされて配置されるとともに、該接続孔１４の周縁から位置ずれすることを抑制されている。
さらに、２つの係止突起２４の中心を結ぶ線Ｑ１が上記アーム２３の延びる方向と同じ方向とされ、かつ対向する一対の係止孔２５の中心を結ぶ線Ｑ２が上記蓋板１３の周縁の何れかの辺１３Ｂ，１３Ｃと平行とされることにより、上記アーム２３の延びる方向は、上記蓋板１３の周縁の何れかの辺１３Ｂ，１３Ｃと平行になる。
すなわち、上記蓋板１３に対して上記保持部材２０をどのような向きで取り付けても、係止突起２４と係止孔２５とを相互に係合する限り、上記アーム２３が延びる向きは、上記蓋板１３の何れかの辺１３Ｂ，１３Ｃと平行になる。そして、上記結束材１６は、上記蓋板１３の辺１３Ｂ，１３Ｂ又は辺１３Ｃ，１３Ｃの間をわたるように掛けられるため、上記アーム２３に該結束材１６を確実に掛けることができ、上記保持部材２０を上記蓋板１３に強固に取り付けることができる。
【００１４】
上記雨水浸透ます１０において、上記立管部材１５の上記接続孔１４への取り付けは、上記蓋板１３に上記保持部材２０が設置された状態で行われる。このため、該立管部材の下端部は、上記保持部材２０の上記保持部２２と上記接続孔１４の内側に挿入される。
上記保持部材２０においては、上記支持座２１及び上記保持部２２の内径は、上記接続孔１４の直径と略等しくなるように設定されている。従って、上記立管部材１５が倒れようとする場合には、該立管部材１５の外周面に上記保持部２２が当接され、さらに該保持部２２を介して上記支持座２１が支えることで、該立管部材１５の倒れが防止される。
上記保持部材２０を備える上記雨水浸透ます１０は、既存の雨水浸透ますと比べ、蓋板１３を若干設計変更するのみで実現可能であり、製造コストの低減を図ることができる。また、該保持部材２０は、上記蓋板１３とは別部材であるから、保持部材２０を有していない既存の雨水浸透ますを廃番にする必要が無く、寧ろ該既存の雨水浸透ますに追加することも可能である。
【００１５】
〔第２実施形態〕
以下、本発明の雨水浸透ますを具体化した第２実施形態について説明する。なお、これ以降の実施形態については、上記第１実施形態と異なる点を中心に説明する。
図５に示すように、本実施形態の雨水浸透ます１０において、ます本体１１は、雨水流入口１１Ａが省略されて構成されている。また、立管部材１５は、下部分の導水管接続筒１５Ｂと、上部分のアジャスター１５Ｃとによって構成され、該アジャスター１５Ｃの上端開口が蓋１５Ａによって閉塞されている。
上記導水管接続筒１５Ｂには雨水を集めるための導水管（図示略）が接続されるようになっており、雨水は、該導水管接続筒１５Ｂを介して、ます本体１１の内部へ送り込まれて、貯留される。また、該導水管接続筒１５Ｂと、接続孔１４との間には、雨水中の泥やゴミを捕らえて除去するためのカゴ（図示略）が介装されている。
上記アジャスター１５Ｃは、円筒状をなしており、蓋板１３の上面から地表までの高さに合わせて、適宜長さ調節される。そして、メンテナンス時等には蓋１５Ａが開放され、上記カゴ（図示略）に溜まった泥やゴミを除去することができる。
上記雨水浸透ます１０のように、立管部材１５として導水管接続筒１５Ｂを有するものは、上部が重く、バランスが崩れやすいため、従来であれば導水管接続筒１５Ｂが蓋板１３から外れやすいが、本実施形態のものであれば、上記保持部材２０で導水管接続筒１５Ｂを好適に支えることができるため、施工時に立管部材１５である導水管接続筒１５Ｂが倒れることを抑制することができる。
【００１６】
〔変更例〕
本発明の雨水浸透ます１０は、上記した構成に限定されるものではなく、以下のように変更してもよい。
図６（ａ）に示すように、上記保持部材２０の保持部２２の内周面上に４つのリブ２２Ａを設けてもよく、あるいは図６（ｂ）に示すように、上記蓋板１３において接続孔１４の内周面上に４つのリブ１４Ｂを設けてもよい。このようなリブ１４Ｂ，２２Ａを設けることで、上記立管部材１５が若干変形している場合に、該変形している立管部材１５の外周面に、上記保持部材２０の保持部２２の内周面、あるいは上記蓋板１３の接続孔１４の内周面を、該リブ１４Ｂ，２２Ａを介して確実に接触させることができるので、該立管部材１５を上記保持部材２０あるいは上記蓋板１３の接続孔１４で強固に保持することができる。なお、該リブ１４Ｂ，２２Ａは、上記立管部材１５の外周面に確実に接触させるという観点から、３つ以上設けることが望ましく、上記保持部材２０や上記接続孔１４に対する上記立管部材１５の挿入方向に沿うように、上下方向に延びるように設けることが望ましい。
上記保持部材２０の保持部２２は、必ずしも筒状とすることに限らず、図７に示すように、上記支持座２１の上面から立設された複数の保持片２２Ｂによって保持部２２を構成してもよい。
上記保持部材２０の支持座２１に係止孔２５を設け、上記蓋板１３の上面に係止突起２４を設けてもよい。
上記保持部材２０及び上記蓋板１３において、上記係止突起２４及び上記係止孔２５を省略し、上記保持部材２０の支持座２１を上記蓋板１３の接続孔１４の周縁に接着、溶着等の方法で接合してもよい。
上記保持部材２０において上記アーム２３を省略してもよい。
上記ます本体１１は、必ずしも有底四角筒状とすることに限らず、内部に雨水を貯留可能な有底筒状であれば、例えば有底円筒状としてもよく、あるいは有底の三角筒状、五角筒状、六角筒状等といった有底多角筒状としてもよい。また、例えばます本体１１を有底円筒状とした場合には蓋板１３を円盤状にする等、該蓋板１３を該ます本体１１と対応する形状にすることが望ましい。
【符号の説明】
【００１７】
１０    雨水浸透ます
１１    ます本体
１３    蓋板
１４    接続孔
１５    立管部材
１６    結束材
２０    保持部材
２１    支持座
２２    保持部
２３    アーム
２４    係止突起
２５    係止孔
【図１】
0006371614.tif 000002
【図２】
0006371614.tif 000003
【図３】
0006371614.tif 000004
【図４】
0006371614.tif 000005
【図５】
0006371614.tif 000006
【図６】
0006371614.tif 000007
【図７】
0006371614.tif 000008